(57)【要約】【課題】本発明の目的は、円筒状水棒カバーをゴムロールに装着する際、簡便に装着しやすくする方法を提供するものである。【解決手段】親水性繊維で織成された筒状水棒カバーをゴムロールに装着する筒状水棒カバーの装着方法において、ゴムロール幅方向に折り返したフィルムでゴムロールのロール部表面を被覆し、フィルムの折り返し方向またはその逆方向から筒状水棒カバーを装着した後、フィルムのみを引き抜くことを特徴とする筒状水棒カバーの装着方法。【選択図】  なし【特許請求の範囲】
【請求項１】
親水性繊維で織成された筒状水棒カバーをゴムロールに装着する筒状水棒カバーの装着方法において、ゴムロール幅方向に折り返したフィルムでゴムロールのロール部表面を被覆し、フィルムの折り返し方向またはその逆方向から該水棒カバーを装着した後、フィルムのみを引き抜くことを特徴とする筒状水棒カバーの装着方法。
【発明の詳細な説明】
【技術分野】
【０００１】
本発明は筒状水棒カバーの装着方法に関し、更に詳しくはゴムロールへの筒状水棒カバーの装着を簡便に装着する筒状水棒カバーの装着方法に関するものである。
【背景技術】
【０００２】
出版、商業印刷において高速作業性、生産性の点からオフセット印刷が広く利用されている。オフセット印刷はアルミ板上に描画された画像部と非画像部の親水性の違いを利用して印刷する方法であり、従ってオフセット印刷において版面に供給される水（以下、給湿液）の種類、量は最終的な印刷品質に大きな影響を及ぼす。
【０００３】
オフセット印刷において良好な作業性、良好な印刷品質を得るために給湿液用希釈液に関しては種々の検討が行われている。
【０００４】
印刷機においても給湿液を版面へ供給する機構は印刷機製造会社の設計思想のもとに種々の検討がなされている。オフセット印刷において、間欠的に版面への給水が行われる呼び出し給水方式は、給湿液が多い部分と少ない部分とで品質的なばらつきがあり、また印刷機の高速化には不向きである。そのため、現在においては版面に連続的に給湿液を付与する版面給水方式連続給水型と呼ばれる方式が主に用いられている。
【０００５】
この版面給水方式連続給水型については親水性繊維表面を持つロールと他のロールを組み合わせて版面に給湿を行うものがある。水着けロールあるいはモルトンロールと呼ばれるこの種のロールは印刷中常に大量の水分を保持しており、繊維が他のロールとの摩擦により抜けてしまい、印刷品質に重大な影響を及ぼすことがあった。モルトンロールについては印刷適性改良のために種々の検討がなされている（例えば、特許文献１〜４参照）。
【０００６】
このモルトンロールは鉄芯にゴムあるいは樹脂を巻き付けたロールに水棒カバーと呼ばれる布で織成された筒状の織物を装着して形成されている（例えば、特許文献５参照）。
【０００７】
このモルトンロールにおいて、筒状水棒カバーとゴムロールとが密着していないとロールが回転せず、結果として印刷品質の低下が起こってしまうために筒状水棒カバーとゴムロールの直径はほぼ同径になるように設計してある。また、これらのゴムロールは回転中に筒状水棒カバーと密着して回転するようにゴムロールと水棒カバーとの摩擦が大きくなるように設計されている。
【０００８】
このモルトンロールの表面を形成する筒状の水棒カバーは余分な水分を掻き落とすために他の金属ロールあるいはゴムロールと接触しているために、使用しすぎると筒状水棒カバーが破れてしまう。
【０００９】
そのため、この水棒カバーを交換する必要があるが、筒状水棒カバーとゴムロールの直径がほぼ同じであるため、またゴムロールと筒状水棒カバーとの摩擦が大きくなるために、筒状水棒カバーはゴムロールに装着しにくく、装着した際にさらに前後左右にずらして均一に調整するのが非常に困難であり、生産性を低下させる一因であった。
【特許文献１】特公昭４７−２９６５０号公報
【特許文献２】特公昭４７−２９６５１号公報
【特許文献３】特公昭５０−３３４４８号公報
【特許文献４】米国特許第４６７５２２０号明細書
【特許文献５】特許第２５１９６０５号公報
【発明の開示】
【発明が解決しようとする課題】
【００１０】
本発明の目的は、筒状水棒カバーをゴムロールに装着する際、簡便に装着しやすくする方法を提供するものである。
【課題を解決するための手段】
【００１１】
本発明者は、上記に鑑み鋭意検討した結果、本発明における筒状水棒ロールをゴムロールに簡便に装着する方法を発明した。
【００１２】
即ち、本発明は、親水性繊維で織成された筒状水棒カバーをゴムロールに装着する筒状水棒カバーの装着方法において、ゴムロール幅方向に折り返したフィルムでゴムロールのロール部表面を被覆し、フィルムの折り返し方向またはその逆方向から筒状水棒カバーを挿入した後、フィルムのみを引き抜くことを特徴とする筒状水棒カバーの装着方法である。
【発明の効果】
【００１３】
本発明における装着方法を用いた場合、簡便に円筒状水棒カバーをゴムロールに装着することができる。
【発明を実施するための最良の形態】
【００１４】
以下、本発明の筒状水棒カバーの装着方法ついて詳細に説明する。本発明は、親水性繊維で織成された筒状水棒カバーをゴムロールに装着する際、予めゴムロール幅方向に折り返したフィルムでゴムロールのロール部表面を被覆し、該フィルムの折り返し方向またはその逆方向から筒状水棒カバーを挿入した後、該フィルムのみを引き抜くことにより簡便に筒状水棒カバーをゴムロールに装着する方法である。
【００１５】
そもそも、筒状水棒カバーとゴムロールとが密着してずれることがないよう、筒状水棒カバーはゴムロールと略同径で、かつゴムロールのロール部表面は装着後の筒状水棒カバーのずれを防止する表面性を有しているので、本発明に係るフィルムによってゴムロールのロール部表面を被覆し、折り返して対向したフィルム同士の滑性によって円筒状水棒カバーの挿入及びフィルムの引き抜きを容易たらしめるものである。
【００１６】
本発明において、筒状水棒カバーをゴムロールに装着するに先立ってゴムロール幅方向に折り返したフィルムでゴムロールのロール部表面を被覆するが、本発明においてフィルムの折り返し部は筒状水棒カバーの挿入終了後にロール部表面またはその近傍にあればよく、筒状水棒カバーのゴムロールへの挿入方向、具体的には本発明に係るフィルムの折り返し部方向から筒状水棒カバーを挿入するか、その逆方向から筒状水棒カバーを挿入するか、によって、フィルムの被覆状態が異なってもよい。
【００１７】
本発明に係るフィルムの折り返し部方向から筒状水棒カバーを挿入する場合は、まずフィルム一方端部またはその近傍をゴムロールのゴム部一方端部に合わせ、フィルム他方端部をゴム部他方端部方向に引っ張り、好ましくはフィルムを折り返すことなくロール部表面を被覆する。このとき、フィルム一方端部またはゴム部一方端部上のフィルムはゴムロールに軽く固定しておくことが好ましいが、この固定の有無に関係なくフィルムの他の部分はロール上を軽く覆っている程度でよい。次に、フィルムの他方端部をロール側に向かって外側に折り返す。フィルムの他方端部の折り返し位置は、ゴムロールのゴム部他方端部付近が好ましい。次に、折り返し方向からフィルム端部に向かって筒状水棒カバー内に折り返したフィルムを挿入しながら筒状水棒カバーの一方端部をゴムロールのゴム部端部セットする。このとき、その後のフィルムの引き抜きを考慮して、フィルムの他方端部を数ｃｍ以上露出させて筒状水棒カバーをセットすることが好ましい。
【００１８】
少なくともフィルムでゴムロールのゴム部表面を被覆し、かつ折り返されて２重となったフィルムを介して筒状水棒カバーの一方端部がゴム部の一方端部を被覆させた状態で、フィルムの他方端部、好ましくは筒状水棒カバー一方端部を直下のフィルムと共にフィルム一方端部方向に引っ張れば、ゴムロールのゴム部に接触するフィルムは筒状水棒カバーによって押さえ付けられたまま外側に折り返したフィルムがその上を滑って迅速簡便にゴム部を被覆することができる。筒状水棒カバーの両端部はゴムロール（の鉄芯部分）に固定するので、筒状水棒カバー一方端部を少なくとも筒状水棒カバーの固定に必要な長さだけ鉄芯側に出した状態で筒状水棒カバーの他方端部を押さえたままフィルム一方端部を引き抜けば、筒状水棒カバーをゴム部表面に残してフィルムを取り去ることができる。尚、上記の各種位置は筒状水棒カバーの挿入やフィルムの引き抜きに支障がない限り多少ずらしても差し支えない。
【００１９】
本発明に係るフィルムの折り返す前の長さはゴムロールのロール幅（鉄芯を含むゴムロールの長さから両端の鉄芯部分の長さを減じた長さ）の２倍以上が好ましく、更には筒状水棒カバーの長さの２倍以上が好ましく、筒状水棒カバーの長さの３倍強程度が好適である。しかしながら、筒状水棒カバーの長さの３倍より遙かに長くしても筒状水棒カバーの装着がより容易にならず、フィルムのみを引き抜筒状水棒カバーを装着後のフィルムの引き抜き長さが長くなるので好ましくない。フィルムの折り返す前の長さが筒状水棒カバーの長さが２倍以下の場合は、フィルム上で筒状水棒カバーを蛇腹状に縮めた状態で筒状水棒カバー挿入方向と反対側からフィルムの折り返し部を引き抜いた後、折り返し部よりロール側でかつ折り重ねた下側のフィルムを保持しつつ筒状水棒カバーの他方端部を引く抜き、保持と引く抜きを数回に分けて行って筒状水棒カバーを装着することが好ましい。
【００２０】
本発明に係るフィルムの折り返し部と逆方向から筒状水棒カバーを挿入する場合は、まずフィルム一方端部またはその近傍をゴムロールのゴム部端部に合わせ、好ましくはフィルムを折り返すことなくロール部表面を被覆する。次に、ゴムロールのゴム部幅方向中央よりややフィルム他方端部寄りの部分で、フィルムの他方端部をロール側に向かって外側に折り返す。折り返し位置がゴム部幅方向中央よりフィルム一方端部寄りであると、フィルムの折り返しによる重なり部分のゴム部上部分のフィルム全長がロール幅より短くなってしまうので、フィルムが十分に長くても、筒状水棒カバーを装着した際にゴムロールのロール部表面をフィルムで被覆できない部分が生じ、ゴムロールのフィルム未被覆部分における筒状水棒カバーの装着を著しく阻碍するので好ましくない。次に、筒状水棒カバーの一方端部に折り返したフィルムの他方端部を挿入し、筒状水棒カバーの他方端部からフィルムを引き、筒状水棒カバーの一方端部をゴム部一方端部上にセットする。
【００２１】
フィルムの折り返す前の長さはゴムロールのロール幅の２倍以上が好ましく、筒状水棒カバーの長さの２倍以上がより好ましいが、最低限フィルムの他方端部がセット時点において筒状水棒カバーの他方端部から露出させることができる程度の長さがよい。筒状水棒カバーの他方端部から露出したフィルム部分は、フィルム除去における引き代となる。
【００２２】
折り返し位置がゴム部幅方向中央よりフィルム一方端部寄りで折り返されて２重となったフィルムを介して筒状水棒カバーの一方端部がゴム部の一方端部を被覆させた状態で、筒状水棒カバー一方端部をゴムロールのゴム部他方端部方向へ引っ張れば、ゴムロールのゴム部に接触するフィルムは筒状水棒カバーによって押さえ付けられ、筒状水棒カバーの移動に伴ってフィルムも新たな折り返し部を形成しながらゴム部他方端部方向に移動し、迅速簡便にゴム部を被覆することができる。筒状水棒カバーの両端部はゴムロール（の鉄芯部分）に固定するので、筒状水棒カバー一方端部を少なくとも筒状水棒カバーの固定に必要な長さだけ鉄芯側に出した状態で筒状水棒カバーの他方端部を押さえたままフィルム一方端部を引き抜けば、筒状水棒カバーをゴム部表面に残してフィルムを取り去ることができる。尚、上記の各種位置は筒状水棒カバーの挿入やフィルムの引き抜きに支障がない限り多少ずらしても差し支えない。
【００２３】
本発明に係るフィルムは、延伸法、二軸延伸法、同時二軸延伸法など公知の方法で製造されたもので、材質はポリエチレン及びポリプロピレン等のポリオレフィン、ポリ塩化ビニル及びポリ塩化ビニリデン等の塩素化ポリビニル、ポリエチレンテレフタレート等のポリエステル、ポリアミド、ポリカーボネート、ポリフェニレンスルフィド等公知のフィルムが使用できる。折り返したフィルムを筒状水棒カバーを装着後に円滑に引き抜くことができないようであれば、予め本発明に係るフィルムの表面（フィルムのゴム部表面接触面と反対面）に滑性付与剤を塗設しておいてもよい。本発明に用いられる滑性付与剤としては、ポリオレフィン系、ワックス系、シリコーン系、フッ素系等の従来公知のものが挙げられる。
【００２４】
本発明に係るフィルムの形状は、筒状（両端が開口しているもの）、袋状（一端が開口しているもの）、両端が閉じられたものや、シート状（四方に端部を有すもの）のいずれも用いることができるが、シート状フィルムも実質的に筒状にして用いるので、筒状、袋状、あるいは両端が閉じられたものが好ましい。特に両端が閉じられたものは内部の空気の出入りができるような穴等を有していることが好ましい。筒状、袋状、シート状フィルムについても、ゴムロールのゴム露出部が筒状水棒カバーと接触して実質的に筒状水棒カバーの装着が妨げられない限り、フィルムに穴等の欠損部が設けられていてもよいし、本発明に係るすべての形状につき、網目状等で構成されていてもよい。
【００２５】
本発明に係るフィルムが上記シート状以外の場合、フィルムの円周長はゴムロールの円周長より１０ｍｍ以上長い方が好ましい。両者の差が１０ｍｍ未満であるとフィルム内にゴムロールを挿入する際、挿入し難くなる。しかしながら、フィルムの円周長があまり長くても筒状水棒カバーの装着はより円滑化しないし、却ってフィルムが引き抜きにくくなるので、ゴムロールの円周長よりの１００ｍｍ程度長ければ充分である。また、本発明に係るフィルムがシート状の場合、フィルムはロール円周方向に巻き付けられるので、フィルムの横幅はゴムロールの円周長と同等程度でよい。あまりフィルムの横幅があっても却ってフィルムが引き抜きにくくなる。フィルムを巻き付けた際の巻き付け方向端部は適宜もう一方の端部近傍と粘着剤テープ等で固定してもよい。
【００２６】
本発明に係るフィルムは、筒状水棒カバーを装着した後、引き抜く際に多少伸びても差し支えないが、最低限破れないような強度を有する必要がある。一方、ロール径と筒状水棒カバー内径が略同一のゴムロールと筒状水棒カバーの間にあるフィルムを円滑に引き抜くことができる厚さである必要がある。強度や引き抜き易さはフィルムの材質により異なるので、本発明に係るフィルムの厚さは一概にはいえないが、数μｍ〜サブｍｍ程度であり、より好ましくは数十μｍ〜数百μｍである。
【００２７】
フィルムを完全に引き抜いたら、従来と同様に筒状水棒カバーを伸ばした後に両端を窄めて縛るか、ゴムロール鉄芯に固定して、水着け供給ロール（モルトンロール）ができあがる。